(57)【要約】【課題】本発明はコンクリート製のスリット付き側溝を埋設して形成した道路において、側溝上面で亀裂や欠損が簡単には生ぜず、また経年劣化により微少の振動や衝撃であってもコンクリートの剥離、剥落や亀裂等が生ぜず、側溝の上面が陥没したり、側溝上面の欠損により車両走行の際にガタツキが生ぜず、従来のように、大型の重機を使用することがなく近隣に騒音の問題を生じさせず、工事期間が長期とならず、工事費用が高くなることがないスリット付き側溝を提供することを目的とする。【解決手段】本発明は、側溝上面から側溝の内部に設けられた空間に向けて上下方向に貫通したスリットが側溝長手方向に設けられ、側溝内部には補強用の補強筋が埋設されてなるスリット付き側溝であり、前記側溝の上壁表面と前記補強用の補強筋の間には、平面状補強材が埋設されたことを特徴とする。【選択図】図１
2018003545.tif 000002
【特許請求の範囲】
【請求項１】
側溝上面から側溝の内部に設けられた空間に向けて上下方向に貫通したスリットが側溝長手方向に設けられ、側溝内部には補強用の補強筋が埋設されてなるスリット付き側溝であり、
前記側溝の上壁表面と前記補強用の補強筋の間には、平面状補強材が埋設された、
ことを特徴とするスリット付き側溝。
【請求項２】
前記平面状補強材は、平面部に複数の空隙部を有する金属部材で構成されたこと、
を特徴とする請求項１記載のスリット付き側溝。
【請求項３】
前記平面状補強材は、平面部に複数の空隙部を網目状に有する網目状金属部材で構成されたこと、
を特徴とする請求項２記載のスリット付き側溝。
【請求項４】
前記複数の空隙部は、側溝形成時に側溝形成用のコンクリート粗骨材が通過すべく前記粗骨材の径より大径に形成された、
ことを特徴とする請求項２または請求項３記載のスリット付き側溝。
【請求項５】
前記平面状補強材は、防錆部材で構成された、
ことを特徴とする請求項１ないし請求項４記載のスリット付き側溝。
【発明の詳細な説明】
【技術分野】
【０００１】
本発明は、長期の耐久性に優れ、破損しにくく、たとえ大きな衝撃や荷重によって破損したとしても破片ブロックが脱落せず亀裂が入る程度の破損で済み、破損箇所を容易に修復できるスリット付き側溝に関するものである。
【背景技術】
【０００２】
コンクリート製のスリット付き側溝をたとえば脇側に埋設して形成した道路では、長年にわたりその側溝の上を通過する車両の走行振動や重量により側溝上面で亀裂や欠損が生じる。
特に、側溝上面にスリットを有する側溝にあっては、そのスリットの端部に亀裂や欠損が生じる。
またコンクリート自体の経年劣化により微少の振動や衝撃であってもコンクリートの剥離、剥落や亀裂等が生じていた。その結果、側溝の上面が陥没したり、側溝上面の欠損により、車両走行の際にガタツキが生じる原因となっていた。
さらに、側溝上面に亀裂が生じることによりコンクリート製側溝自体の耐久性は著しく低下するものとなっていた。
【０００３】
また、そのような陥没等した側溝上を、乗用車、トラックやオートバイなどの車両が通過すると、たとえばタイヤが嵌って動けなくなったり、タイヤがパンクするおそれがあった。また、オートバイに至っては、転倒したり、転倒した際に他の車両と接触することも考えられる。
【０００４】
また、近年では通勤あるいは通学などの脚として自転車が頻繁に利用されており、スリット付き側溝が敷設された道路において、当該側溝の陥没やガタツキは自転車走行上の安全面においても大きな課題となっていた。
【０００５】
さらに、緊急時に警察車両や救急車などの緊急車両がやむを得ず路肩を走行する際、前記スリット付き側溝の陥没等が障害となり走行の遅れが生じることがある。
【０００６】
ここで破損した側溝を修繕するための従来法としては、側溝の周りを掘削して破損したコンクリート製側溝自体を取り換える方法や破損した箇所を専用の機械で切断し、切断した箇所に新たに補強金具を取り付けコンクリートを打設する方法がある（特開２００５−２７３３８２号公報）。
【０００７】
しかしながら前記従来の方法では、大型の重機を使用することが多く、近隣に騒音の問題が生じさせる。また、工事するにあたり道路を一車線占有してしまうため、交通量の多い道路や片側一車線の道路では一般通行車両に大きな障害となる。そのため、工事期間が長期となり、また多くの人員が必要となるため工事費用が高くなるなどの課題もあった。
【先行技術文献】
【特許文献】
【０００８】
【特許文献１】特開２００５−２７３３８２号公報
【発明の概要】
【発明が解決しようとする課題】
【０００９】
かくして、本発明は前記従来の課題に対処すべく創案されたものであって、
コンクリート製のスリット付き側溝をたとえば脇側に埋設して形成した道路において、長年にわたりその側溝の上を通過しても車両の走行振動や重量により側溝上面で亀裂や欠損が簡単には生ぜず、特に、側溝上面にスリットを有する側溝にあっても、そのスリットの端部に簡単には亀裂や欠損が生ぜず、またコンクリート自体の経年劣化により微少の振動や衝撃であってもコンクリートの剥離、剥落や亀裂等が生ぜず、側溝の上面が陥没したり、側溝上面の欠損により、車両走行の際にガタツキが生ぜず、側溝上面に亀裂が生じることによりコンクリート製側溝自体の耐久性が低下することがなく、陥没等した側溝上を、乗用車、トラックやオートバイなどの車両が通過してもタイヤが嵌って動けなくなったり、タイヤがパンクするおそれがなく、オートバイが転倒したり、転倒した際に他の車両と接触することもなく、通勤あるいは通学などの脚として自転車が頻繁に利用されているスリット付き側溝が敷設された道路において、当該側溝の陥没やガタツキによる自転車走行上の安全面に不安がなく、緊急時に警察車両や救急車などの緊急車両がやむを得ず路肩を走行する際、前記スリット付き側溝の陥没等が障害となり走行の遅れが生じることがなく、従来のように、破損した側溝を修繕するため、側溝の周りを掘削して破損したコンクリート製側溝自体を取り換えたり、破損した箇所を専用の機械で切断し、切断した箇所に新たに補強金具を取り付けコンクリートを打設する必要がなく、もって、大型の重機を使用することがなく、近隣に騒音の問題を生じさせず、また、従来のように、工事するにあたり道路を一車線占有し、交通量の多い道路や片側一車線の道路では一般通行車両に大きな障害を生じさせ、そのため工事期間が長期となり、また多くの人員が必要となるため工事費用が高くなることがないスリット付き側溝を提供することを目的とするものである。
【課題を解決するための手段】
【００１０】
本発明は、
側溝上面から側溝の内部に設けられた空間に向けて上下方向に貫通したスリットが側溝長手方向に設けられ、側溝内部には補強用の補強筋が埋設されてなるスリット付き側溝であり、
前記側溝の上壁表面と前記補強用の補強筋の間には、平面状補強材が埋設された、
ことを特徴とし、
または、
前記平面状補強材は、平面部に複数の空隙部を有する金属部材で構成されたこと、
を特徴とし、
または、
前記平面状補強材は、平面部に複数の空隙部を網目状に有する網目状金属部材で構成されたこと、
を特徴とし、
または、
前記複数の空隙部は、側溝形成時に側溝形成用のコンクリート粗骨材が通過すべく前記粗骨材の径より大径に形成された、
ことを特徴とし、
または、
前記平面状補強材は、防錆部材で構成された、
ことを特徴とするものである。
【発明の効果】
【００１１】
本発明によるスリット付き側溝であれば、
コンクリート製のスリット付き側溝をたとえば脇側に埋設して形成した道路において、長年にわたりその側溝の上を通過しても車両の走行振動や重量により側溝上面で亀裂や欠損が簡単には生ぜず、特に、側溝上面にスリットを有する側溝にあっても、そのスリットの端部に簡単には亀裂や欠損が生ぜず、またコンクリート自体の経年劣化により微少の振動や衝撃であってもコンクリートの剥離、剥落や亀裂等が生ぜず、側溝の上面が陥没したり、側溝上面の欠損により、車両走行の際にガタツキが生ぜず、側溝上面に亀裂が生じることによりコンクリート製側溝自体の耐久性が低下することがなく、陥没等した側溝上を、乗用車、トラックやオートバイなどの車両が通過してもタイヤが嵌って動けなくなったり、タイヤがパンクするおそれがなく、オートバイが転倒したり、転倒した際に他の車両と接触することもなく、通勤あるいは通学などの脚として自転車が頻繁に利用されているスリット付き側溝が敷設された道路において、当該側溝の陥没やガタツキによる自転車走行上の安全面に不安がなく、緊急時に警察車両や救急車などの緊急車両がやむを得ず路肩を走行する際、前記スリット付き側溝の陥没等が障害となり走行の遅れが生じることがなく、従来のように、破損した側溝を修繕するため、側溝の周りを掘削して破損したコンクリート製側溝自体を取り換えたり、破損した箇所を専用の機械で切断し、切断した箇所に新たに補強金具を取り付けコンクリートを打設する必要がなく、もって、大型の重機を使用することがなく、近隣に騒音の問題を生じさせず、また、従来のように、工事するにあたり道路を一車線占有し、交通量の多い道路や片側一車線の道路では一般通行車両に大きな障害を生じさせ、そのため工事期間が長期となり、また多くの人員が必要となるため工事費用が高くなることがないとの優れた効果を奏する。
【図面の簡単な説明】
【００１２】
【図１】本発明の構成を説明する構成説明図（１）である。
【図２】本発明の構成を説明する構成説明図（２）である。
【図３】本発明の構成を説明する構成説明図（３）である。
【図４】本発明によるスリット付き側溝を作製する型枠装置の構成を説明する構成説明図である。
【発明を実施するための最良の形態】
【００１３】
以下本発明を図に示す実施例に基づいて説明する。
【００１４】
図１に、本発明であるスリット付き側溝の第一実施例を示す。
図１において、符号１はスリット付き側溝を示し、該スリット付き側溝１は、図１の正面図から理解されるように、底壁５、両側壁６、６及び上壁４により略方形状をなして構成されており、内部には水路となる空間部２が設けられている。この空間部２の形状については何ら限定されるものではないが、一般的には略縦長の楕円形状に形成されてれている。
【００１５】
そして、この空間部２の上方で側溝１の幅方向一端部側には、前記空間部２と外部とを連通させるスリット３が側溝１の上壁４の一部を上下方向に貫通させて設けられている。ここで、このスリット３の幅長には何ら限定はないが、本実施例では、上部の幅長より下部の幅長の方を狭くして形成してある。そして、このスリット３は、側溝１の長手方向に向かって連続して設けられている。
【００１６】
さらに、図１から理解されるように、スリット付き側溝１を構成する上壁４、両側壁６、６及び底壁５の中には、それらの上壁４、両側壁６、６及び底壁５の壁厚表面側に寄せて、該コンクリート製スリット付き側溝１の強度を保持するために補強用の補強筋７が配筋されて埋設されている。
【００１７】
また、前記補強筋７の上には図１（ｂ）に示す平面状補強材８が、所定のスペーサを介在させ、前記補強筋７と所定の間隔を設けて配置され取り付けられている。
【００１８】
ここで、前記平面状補強材８は、本発明のスリット付き側溝１における上壁４の幅方向の範囲をほぼ覆い、かつスリット付き側溝１の長手方向全長をほぼ覆う長さに形成されている。
【００１９】
さらに、本実施例の平面状補強材８は、スリット３を構成する上壁４の幅方向端面９の部分を覆う様略鈎状に折曲した、例えばコ字状に折り曲げられた先端補強部１２を設けて形成される。
【００２０】
また、前記平面状補強材８には全体に亘って複数の空隙部１１が設けられており、例えば、網目状の空隙部１１を複数有する金属製の網目部材で形成される。
【００２１】
すなわち、ステンレス製のエキスパンドメタルなどが平面状補強材８の具体例としてあげられる。かかる部材であれば、防錆性に優れ、コンクリートとの付着性にも優れているからである。
【００２２】
ここで、本実施例によるスリット付き側溝１の施工に付き説明すると、図４に示すように、下型枠１３上に両側型枠１４、１４を立設する。また、符号１５は前記空間部２形成用内型枠であり、符号１６はスリット形成用内型枠である。
図４に示す様に、補強筋７と平面状補強材８とを配設した後、型枠内にコンクリートを充填する。
【００２３】
ここで、コンクリートの材料としては、所定の大きさの径を有する粗骨材が投入されている。この粗骨材の径の大きさは、一般的に１５ｍｍ乃至２５ｍｍであり、もって、平面状補強材８の空隙部１１の径は、前記粗骨材が通過できる大きさのものとしてあるのである。
【００２４】
しかして、所定時間養生した後、前記空間部形成用内型枠１５とスリット形成用内型枠１６を長手方向に向かって引き抜く。
【００２５】
その後、両側型枠１４、１４を開いて、本実施例のスリット付き側溝１を取り出すのである。
【００２６】
ここで、本実施例のスリット付き側溝１は、特に上壁の幅方向端面９の部分が、平面状補強材８によって補強されている。よって、スリット３の端部、すなわち上壁の幅方向端面９の部分に簡単には亀裂や欠損が生ぜず、またコンクリート自体の経年劣化により微少の振動や衝撃であってもコンクリートの剥離、剥落や亀裂等が生ぜず、さらにはスリット付き側溝１の上壁４が陥没したり、欠損することがないため、車両走行の際にガタツキが生ぜず、スリット付き側溝１自体の耐久性が低下することがなく、陥没等した側溝上を、乗用車、トラックやオートバイなどの車両が通過してもタイヤが嵌って動けなくなったり、タイヤがパンクするおそれがなく、オートバイが転倒したり、転倒した際に他の車両と接触することもなく、通勤あるいは通学などの脚として自転車が頻繁に利用されているスリット付き側溝１が敷設された道路において、当該側溝の陥没やガタツキによる自転車走行上の安全面に不安がなく、緊急時に警察車両や救急車などの緊急車両がやむを得ず路肩を走行する際、前記スリット付き側溝１の陥没等が障害となり走行の遅れが生じることがなく、従来のように、破損した側溝を修繕するため、側溝の周りを掘削して破損したコンクリート製側溝自体を取り換えたり、破損した箇所を専用の機械で切断し、切断した箇所に新たに補強金具を取り付けコンクリートを打設する必要がなく、もって、大型の重機を使用することがなく、近隣に騒音の問題を生じさせず、また、従来のように、工事するにあたり道路を一車線占有し、交通量の多い道路や片側一車線の道路では一般通行車両に大きな障害を生じさせ、そのため工事期間が長期となり、また多くの人員が必要となるため工事費用が高くなることがないのである。
【００２７】
次に、図２、図３に本発明の他の実施例を示す。
図２では、平面状補強材８をその先端に、コ字状の先端補強部１２を形成しないタイプとした（図２（ｂ）参照）。この様な平面状補強材８であっても充分に、スリット３の端部、すなわち上壁の幅方向端面９の部分を補強することが出来る。
【００２８】
さらに、図３に示す実施例は、先端補強部１２をコ字状ではなく、Ｌ字状に形成したものであり、この様な先端補強部１２であっても充分にスリット３の端部、すなわち上壁の幅方向端面９の部分を補強することが出来る。
【符号の説明】
【００２９】
１      スリット付き側溝
２      空間部
３      スリット
４      上壁
５      底壁
６      側壁
７      補強筋
８      平面状補強材
９      上壁の幅方向端面
１１    空隙部
１２    先端補強部
１３    下型枠
１４    側型枠
１５    空間部形成用内型枠
１６    スリット形成用内型枠
【図１】
2018003545.tif 000003
【図２】
2018003545.tif 000004
【図３】
2018003545.tif 000005
【図４】
2018003545.tif 000006